(57)【特許請求の範囲】
【請求項１】
コンテンツ情報を媒体に書き込んで販売する電子情報自動販売装置であって、
広告情報の有無を選択する操作手段と、
広告情報は、広告情報の有効期限情報、本装置の設置された地域を識別する情報、本装置の設置された店舗を識別する情報、操作時の天候情報、操作時間情報、ユーザ嗜好情報、コンテンツを識別する情報の少なくとも１つの付加情報を有し、
広告情報有りを選択した場合には、前記付加情報に基づいて、コンテンツ情報内に広告情報を挿入したのち、広告情報が挿入されたコンテンツ情報を媒体に書き込み、広告情報無しを選択した場合にはコンテンツ情報のみを媒体に書き込む書き込み手段と、を有することを特徴とする電子情報自動販売装置。
【発明の詳細な説明】
【０００１】
【発明の属する技術分野】
本発明は、効果的に広告情報を用いてコンテンツ情報を販売する電子情報自動販売装置に関する。
【０００２】
【従来の技術】
特開平６−１２５７１号公報記載の情報自動販売機によれば、人が近付くとＣＭや販売情報をピーアールするデモンストレーションが表示され、操作手順に従って情報データの選択、料金の入金、出力媒体を指示、セットすると、通信回線により外部データベースから情報データをセットした記憶媒体に移入して販売する技術が開示されている。
【０００３】
特開平９−２３２４３号公報記載の電子紙面情報配信システムによれば、センタは、紙面情報を情報の地域性による分類を行い、各地域を識別する符号を紙面情報に付加し、これら各地域別に分類された紙面情報を配信し、それを各地域に設置された電子紙面情報自動販売機に送信して、新聞や広告のように、地域ごとに別々の内容のものを販売する技術が開示されている。
【０００４】
現在、ハードウエアおよびソフトウエアの発展にともない、漫画や小説などの既存の紙メディアの内容をコンテンツとして電子化し、ユーザーが選択した漫画や小説の内容をパソコン（パーソナルコンピュータ）あるいは携帯端末上で目視可能にすることが検討されている。電子書籍は、インターネット等の有線、あるいは衛星放送等の無線の通信回線を介して、各家庭、駅の売店、街頭、コンビニエンスストア等の販売装置に配信され、販売されることが提案されており、無駄な在庫を有しない点、コスト、流通の点でメリットがある。
【０００５】
【発明が解決しようとする課題】
ところで、このような電子書籍の販売のために、電子書籍を提供する提供主や電子書籍の自動販売装置の設置者等にとって広告を付して販売することは重要である。
【０００６】
しかしながら、これまでのコンテンツ情報を販売する装置は、コンテンツ情報と広告情報は一体のものとして扱われており、区別されていても、せいぜい地域別に区別されている程度であり、その場合でも、その地域での広告内容は一定のものである。
【０００７】
これを、単純に電子書籍に適用すると、例えば、短期間に読まれる週刊誌は、コンテンツ情報と広告情報とを一体にして販売しても比較的問題は少ないが、長期間にわたって読まれる文芸作品は、コンテンツ情報と広告情報とを一体にして販売すると、時の経過とともに広告情報の価値が薄れたり、不要な情報になってしまうという問題がある。
【０００８】
また、例えば、興味のある広告情報のみが必要、あるいは広告情報が全く不要、というようにユーザー側の嗜好も多種であるのに、ユーザー側で広告情報を選択することができないという問題がある。
【０００９】
本発明の目的は、上記問題点に鑑みて、ユーザー側で広告情報を選択可能にする電子情報自動販売装置を提供することにある。
【００１０】
【課題を解決するための手段】
請求項１記載の電子情報自動販売装置は、コンテンツ情報を媒体に書き込んで販売する電子情報自動販売装置であって、広告情報の有無を選択する操作手段と、広告情報の有無を選択する操作手段とを含む。広告情報は、広告情報の有効期限情報、本装置の設置された地域を識別する情報、本装置の設置された店舗を識別する情報、操作時の天候情報、操作時間情報、ユーザ嗜好情報、コンテンツを識別する情報の少なくとも１つの付加情報を有する。広告情報有りを選択した場合には、前記付加情報に基づいて、コンテンツ情報内に広告情報を挿入したのち、広告情報が挿入されたコンテンツ情報を媒体に書き込み、広告情報無しを選択した場合にはコンテンツ情報のみを媒体に書き込む書き込み手段と、を有することを特徴とする。
【００１５】
【発明の実施の形態】
＜第１の実施の形態＞
図１に、本実施の形態に係る電子情報自動販売装置のブロック構成を示す。図１に示される破線が電子情報自動販売装置１を示す。バスライン１８を介して、ＣＰＵ（Ｃｅｎｔｒａｌ  Ｐｒｏｃｅｓｓｉｎｇ  Ｕｎｉｔ）２、メモリ３、ＨＤＤ（Ｈａｒｄ  Ｄｉｓｋ  Ｄｒｉｖｅ）４、ビデオコントローラ５、操作インターフェイス７、メディアドライブ８、ＰＣカードインターフェイス１０、通信インターフェイスＡ１２、通信インターフェイスＢ１４、課金装置１７が接続されている。
【００１６】
ＣＰＵ２はマイクロプロセッサなどで構成され、メモリ３またはＨＤＤ４上のプログラムを実行して本装置全体の制御を行う。メモリ３はＲＡＭ及びＲＯＭで構成され、プログラムや各種データの記憶に用いられる。情報蓄積手段としてのＨＤＤ４はコンテンツ情報、広告情報、プログラム、各種データの記憶に用いられる。
【００１７】
ビデオコントローラ５は表示を制御し、ＣＲＴ（Ｃａｔｈｏｄｅ  Ｒａｙ  Ｔｕｂｅ）６上に操作手順や操作内容の表示を行う。表示デバイスはＣＲＴではなく、ＬＣＤ（Ｌｉｑｕｉｄ  Ｃｒｙｓｔａｌ  Ｄｉｓｐｌａｙ）など他の表示デバイスでもよい。操作インターフェイス７は、例えばキーボードやタッチパネルで構成され、ユーザーが本装置を操作するためのインターフェイスであり、ＣＲＴ６と一体に設けられていてもよい。
【００１８】
メディアドライブ８は記録メディア９に書き込む装置であり、例えば、記録メディア９としては、ＦＤ（Ｆｌｏｐｐｙ  Ｄｉｓｋ）、ＭＯ（Ｍａｇｎｅｔｏ  Ｏｐｔｉｃ）、ＭＤ（Ｍｉｎｉ  Ｄｉｓｋ）などが用いられる。ＰＣカードインターフェイス１０はＨＤＤやフラッシュメモリなどの記録媒体としてのＰＣカード１１と書き込み可能なインターフェイスである。
【００１９】
通信インターフェイスＡ１２は、販売したコンテンツ情報を見るための情報表示端末１３と通信を行う装置であり、例えば、赤外線、ＵＳＢ（Ｕｎｉｖｅｒｓａｌ  Ｓｅｒｉａｌ  Ｂｕｓ）、ＲＳ−２３２Ｃなどが適用可能で、記録メディアや記録媒体を介さずに直接、販売したコンテンツ情報を情報表示端末１３に表示する。情報表示端末１３はＣＲＴ６と共用でもよい。
【００２０】
メディアドライブ８、ＰＣカードインターフェイス１０、通信インターフェイスＡ１２は、本装置でユーザーに販売されるコンテンツ情報や広告情報を出力して書き込むのである。これらは出力先が記録メディアかＰＣカードか情報表示端末かの媒体によって使い分けられる。
【００２１】
通信インターフェイスＢ１４は、衛星との送受信またはＥｔｈｅｒｎｅｔやＩＳＤＮなどの通信回線１５とのインターフェイスであり、操作インターフェイス７の操作に応じて通信回線１５と接続された外部データベース１６からコンテンツ情報や広告情報を直接上記各種媒体、あるいはいったんＨＤＤ４にダウンロードするための送受信に用いられ、課金情報、ユーザー情報、アクセス状況などの管理情報の送受信にも用いられる。
【００２２】
課金装置１７は、例えばプリペイドカードの読み取り装置、クレジットカードの読み取り装置、現金の計数器などで実現され、販売するコンテンツ情報の価格に応じた課金処理を行う。つまり、課金装置１７で所定額が入金されたことを検知して、その結果を、ＣＰＵ２または通信インターフェイスＢ１４に通知して、コンテンツ情報、広告情報の販売を許可する。
【００２３】
次に、図２のフローチャートを用いて本装置の動作を説明する。まず、ユーザーは、操作インターフェイス７を操作して購入するコンテンツを選択する（ステップＳ１）。コンテンツとは、本実施の形態の場合、電子書籍であるが、映画や音楽であってもよい。次に、操作インターフェイス７を操作して広告の有無を選択する（ステップＳ２）。
【００２４】
広告有りの時は、コンテンツは１００円で販売され（ステップＳ３）、広告つきのコンテンツを媒体に書き込む（ステップＳ４）。また、広告無しの時は、コンテンツは２００円で販売され（ステップＳ５）、広告無しのコンテンツを媒体に書き込む（ステップＳ６）。このように広告つきのコンテンツを広告無しのコンテンツよりも安い価格で販売するため、コンテンツの販売と広告とを効果的、効率的にを行うことができる。
【００２５】
なお、広告つきのコンテンツと広告無しのコンテンツとを同じ価格で販売しても良く、逆に広告つきのコンテンツを広告無しのコンテンツよりも高くしてもよい。同じ価格でコンテンツを販売した場合、広告無しのコンテンツは広告つきのコンテンツの一部だけにしたり、それぞれ別の内容のコンテンツにするなどの差別化を行っても良い。
【００２６】
＜第２の実施の形態＞
本実施の形態に係る電子情報自動販売装置は、図１と同様であるので、その説明は省略する。
【００２７】
次に、図３のフローチャートを用いて本装置の動作を説明する。まず、ユーザーは、操作インターフェイス７を操作して購入するコンテンツを選択する（ステップＳ２１）と、広告情報の置き換え（ステップＳ２２）、追加（ステップＳ２３）を行う。広告情報の置き換え処理と追加処理は、図３のフローでは、順次行うように記載されているが、いづれか一方の処理だけでもよい。その後、課金処理で清算を行い（ステップＳ２４）、コンテンツを媒体に書き込む（ステップＳ２５）。
【００２８】
次に、図３のステップＳ２２，Ｓ２３の広告情報の置き換え処理、追加処理を図４を用いて説明する。図４では、配信されてきた電子書籍のコンテンツ中の広告情報Ａが広告情報Ａ’によって置き換えられ、また、ページ間に広告情報Ｂが挿入され、ページ内に広告情報Ｃが挿入されることを示している。ページ間に広告が挿入された場合、挿入した広告以降のページがずれるため、ページ番号を付け直す方が良い。この置き換え、または追加される広告情報は、新たに配信されたものでも、本装置の管理者によってＨＤＤ４に予め入力して蓄積したものでもよい。
【００２９】
また、本実施の形態では、置き換え、追加の処理が行われる広告情報には付加情報が付けられており、この付加情報に基づいて選択的に置き換え、または追加処理が行われる。なお、この付加情報は、自動的に読み込まれて処理されるようにしてもよいが、操作インターフェイス７で対応の項目を選択するようにしてこれらの処理を行うようにしてもよい。付加情報としては、以下のものがある。
【００３０】
広告期間の有効期限を規定する付加情報にすれば、操作時の時間と比較することにより常に最新の広告情報に保つことができ、ユーザーはコンテンツ購入時に最新の広告情報を得ることができる。
【００３１】
本装置が設置された地域を識別する付加情報にすれば、ユーザーは関係のない地域の広告情報を見る必要がなく、また、広告主側も地域を限定して効果的な広告を出すことができる。
【００３２】
本装置が設置された店舗独自の広告かどうかを識別する付加情報にすれば、本装置を設置する店舗が独自の広告をユーザーに提供することができる。この場合、本装置の設置者が任意に付加情報や広告内容が蓄積されたＨＤＤ４に任意に設定できるようにしておくのが望ましい。
【００３３】
天候を識別する付加情報にすれば、操作時の天候に応じた情報、例えば、晴れの日はアウトドアの広告情報、雨の日はインドアの広告情報にして、より効果的な広告を出すことができる。なお、操作時の天候の情報は、ユーザーが入力したものでも配信されたものでもよい。
【００３４】
時間帯を識別する付加情報にすれば、操作時の時間に応じた情報、例えば、昼はランチの広告情報、夜はディナーの広告情報にして、より効果的な広告を出すことができる。
【００３５】
種々のユーザーの嗜好を識別する付加情報にすれば、ユーザーの嗜好に応じた情報、例えば、スポーツの広告情報、演劇の広告情報等にして、より効果的な広告を出すことができる。
【００３６】
操作時に選択されたコンテンツの種別を識別する付加情報により、操作時に選択されたコンテンツに応じた情報、例えば、料理解説本が選択されれば料理に関係のある広告情報、旅行本が選択されれば旅行に関係のある広告情報にして、ユーザーは自分の嗜好にあった広告情報が得られ、より効果的な広告を出すことができる。なお、この場合は、コンテンツは予め種別ごとに分類されている必要がある。
【００３７】
＜第３の実施の形態＞
本実施の形態に係る電子情報自動販売装置は、図１と同様であるので、その説明は省略する。
【００３８】
次に、図５のフローチャートを用いて本装置の動作を説明する。まず、まず、ユーザーは、操作インターフェイス７を操作して購入するコンテンツを選択し（ステップＳ３１）、課金処理を行う（ステップＳ３２）。媒体にコンテンツ情報を書き込んでいる間に（ステップＳ３３）、広告情報をＣＲＴ６に表示する（ステップＳ３４）。
【００３９】
表示する広告情報は、媒体に書き込むコンテンツ情報に付加された広告情報、つまり、既に各実施の形態で説明した広告情報である。広告情報を表示するタイミングは媒体に情報を書き込んでいる待ち時間以外に、コンテンツを操作インターフェイス７で選択した段階で画面の一部に表示しても良い。このようにコンテンツを選択する操作により広告情報を表示し、さらに、媒体に書き込んだ後に、携帯端末等で再度コンテンツと広告情報を見るため、より効果的な広告とすることができる。
【００４０】
以上説明した各実施の形態での処理は、プログラムにより実行されるが、このプログラムの全部または一部を、直接あるいは通信回線を介してフロッピーディスクやハードディスク等のコンピュータ読取可能な記録媒体に予め格納しておき、必要に応じてインストールして用いてもよい。
【００４１】
【発明の効果】
本発明によれば、ユーザー側でも広告の有無を選択することができ、広告主側も広告の必要なユーザーに対してのみ広告料を支払えばよいことになり、効率的、効果的な広告が行える。また、広告の有無を価格、あるいはコンテンツで差別化することにより、広告主は効率的に広告料を使うことができる。また、付加情報で広告情報の置き換え、または追加処理を選択的に行うので、ユーザーはより有用な広告情報が得られ、広告主側も効率的、効果的な広告を行える。さらに、広告情報を本装置で表示することにより、さらに効率的、効果的な広告を行える。
【図面の簡単な説明】
【図１】実施の形態に係る電子情報自動販売装置の電気的ブロック構成を示す図である。
【図２】第１の実施の形態における動作フローチャートである。
【図３】第２の実施の形態における動作フローチャートである。
【図４】第２の実施の形態の広告情報の変化を説明するための図である。
【図５】第３のの実施の形態における動作フローチャートである。
【符号の説明】
２  ＣＰＵ（処理手段）
３  メモリ
４  ＨＤＤ
５  ビデオコントローラ（表示手段）
６  ＣＲＴ（表示手段）
７  操作インターフェイス（操作手段）
８  メディアドライブ（書き込み手段）
１０  ＰＣカードインターフェイス（書き込み手段）
１２  通信インターフェイス（書き込み手段）
【図１】
0003810228.tif 000002
【図２】
0003810228.tif 000003
【図３】
0003810228.tif 000004
【図４】
0003810228.tif 000005
【図５】
0003810228.tif 000006